(57)【要約】【課題】計量空間を気密構造にするケース本体と腹板の外周縁部におけるシール劣化を防止し、修理時の作業性を向上できる膜式ガスメーターを提供する。【解決手段】ケース本体１７と腹板１８との間に形成される計量空間を計量膜１９で２つに仕切り、流入するガスの圧力により前記計量膜１９を往復運動させて、前記ガスの流量を計量する膜式ガスメーターにおいて、前記ケース本体１７と前記腹板１８の外周縁部に腹板ガスケット２０の外周縁部２０ａを挟持する挟持部１７ａ，１８ａを設け、前記ケース本体１７の挟持部１７ａに一体に袋ねじ部２１を設け、前記腹板１８に前記袋ねじ部２１と対向する取付け孔２２を設け、前記腹板１８側から固定ねじ２４を前記取付け孔２２に挿通し、前記腹板ガスケット２０の挿通孔２３を貫通して前記袋ねじ部２１に締付けて前記ケース本体１７と前記腹板１８との間で前記腹板ガスケット２０を挟持した。【選択図】  図２
2010025702.tif 000002
【特許請求の範囲】
【請求項１】
ケース本体と腹板との間に形成される計量空間を計量膜で２つに仕切り、流入するガスの圧力により前記計量膜を往復運動させて、前記ガスの流量を計量する膜式ガスメーターにおいて、
前記ケース本体と前記腹板の外周縁部に腹板ガスケットの外周縁部を挟持する挟持部を設け、
前記ケース本体の挟持部に一体の袋ねじ部を設け、前記腹板に前記袋ねじ部と対向する取付け孔を設け、
前記腹板側から固定ねじを前記取付け孔に挿通し、前記腹板ガスケットを貫通して前記袋ねじ部に締付けて前記ケース本体と前記腹板との間で前記腹板ガスケットを挟持したことを特徴とする膜式ガスメーター。
【発明の詳細な説明】
【技術分野】
【０００１】
本発明は、家庭用のガス使用量の計量に用いられる膜式ガスメーターに関する。
【背景技術】
【０００２】
ガス使用量を積算指示する膜式ガスメーターの計量箱はケース本体と腹板とから構成されており、その内部には２つの計量空間が形成されている。各計量空間は、計量膜により第１、第２の計量室に仕切られ、それぞれガス流路を介してガス流入口及びガス流出口と連通している。
【０００３】
計量膜は、各計量空間内で前後方向に移動可能となっており、その中央部には回動翼が回転可能に連結されている。この回動翼は、ケース本体内の回動軸に固定されており、計量膜の移動を回動軸の回動に変換する。
【０００４】
回動軸には、ガス流路を開閉するための弁体がクランク機構を介して連結されている。この弁体はクランク機構と連動しており、計量室をガス流入口及びガス流出口のいずれか一方とを連通させたり、流入口及びガス流出口の両方から遮断したりする。
【０００５】
第１の計量室とガス流入口が連通しているときにガスを使用すると、第１の計量室内にガスが流入し、ガスの圧力により計量膜が第２の計量室に向かって移動する。これにより、第２の計量室内のガスは、ガス流路を介してガス流出口から流出する。そして、計量膜の移動は、回動翼の回動運動に変換され、回動軸及びクランク機構を介して弁体に伝えられる。これにより、ガス流路の開閉が切り替えられる。
【０００６】
ガス流路の開閉の切り替えにより第２の計量室内にガスが流入すると、ガスの圧力により計量膜が第１の計量室に向かって移動する。これにより、第２の計量室内のガスは、ガス流路を介してガス流出口から流出する。そして、計量膜の移動は、回動翼の回動運動に変換され、回動軸及びクランク機構を介して弁体に伝えられる。これにより、ガス流路の開閉が切り替えられる。
【０００７】
したがって、ガスの使用中に前記動作を繰り返し、計量膜の往復回数を計数器で計数すると、計量空間を通過したガスの流量、すなわちガス使用量を計量することができる（特許文献１参照。）。
【０００８】
ところで、前記特許文献１を含む膜式ガスメーターは、図３（ａ）（ｂ）に示すように構成されている。すなわち、膜式ガスメーターの計量室１は、ケース本体２と腹板３との間に形成される計量空間４が計量膜５で２つに仕切られている。そして、流入するガスの圧力により計量膜５を往復運動させて、ガスの流量を計量するようになっている。したがって、計量空間４は気密構造に構成する必要があり、ケース本体２と腹板３の外周縁部に腹板ガスケット６の外周縁部６ａを挟持する挟持部２ａ，３ａを設けている。
【０００９】
さらに、ケース本体２の挟持部２ａには複数個の貫通ねじ孔７が設けられ、腹板３には貫通ねじ孔７と対向する取付け孔８が設けられている。そして、腹板３側から固定ねじ８を取付け孔９に挿通し、腹板ガスケット６を貫通して貫通ねじ孔７に締付けてケース本体２と腹板３との間で腹板ガスケット６を挟持している。
【特許文献１】特開２００６-１７７８０５号公報
【発明の開示】
【発明が解決しようとする課題】
【００１０】
しかしながら、ケース本体２の挟持部２ａに設けられているねじ孔は、貫通ねじ孔７であるため、ねじ孔の内部まで塗料が入りづらく、貫通ねじ孔７の後方から雨水が浸入し、ねじ孔周辺部のガスケットが劣化しやすいため、貫通ねじ孔７から雨水が計量空間４に浸入する虞がある。さらに、貫通ねじ孔７および固定ねじ９が腐食して分解しづらくなり、ねじ切れなどの意図しない修理項目が増えることもある。
【００１１】
本発明は、前記事情に着目してなされたもので、その目的とするところは、計量空間を気密構造にするケース本体と腹板の外周縁部におけるシール劣化を防止し、修理時の作業性を向上できる膜式ガスメーターを提供することにある。
【課題を解決するための手段】
【００１２】
前記課題を解決し目的を達成するために、請求項１は、ケース本体と腹板との間に形成される計量空間を計量膜で２つに仕切り、流入するガスの圧力により前記計量膜を往復運動させて、前記ガスの流量を計量する膜式ガスメーターにおいて、前記ケース本体と前記腹板の外周縁部に腹板ガスケットの外周縁部を挟持する挟持部を設け、前記ケース本体の挟持部に一体に袋ねじ部を設け、前記腹板に前記袋ねじ部と対向する取付け孔を設け、前記腹板側から固定ねじを前記取付け孔に挿通し、前記腹板ガスケットを貫通して前記袋ねじ部に締付けて前記ケース本体と前記腹板との間で前記腹板ガスケットを挟持したことを特徴とする。
【発明の効果】
【００１３】
本発明によれば、ケース本体の挟持部に一体に袋ねじ部を設け、ねじ孔に雨水の浸入を防止することにより、ねじ孔周辺部のシール部の劣化を防止でき、信頼性の向上を図ることができるとともに、修理時の作業性を向上できるという効果がある。
【発明を実施するための最良の形態】
【００１４】
以下、本発明の実施形態を図面に基づいて説明する。
【００１５】
図１は第１の実施形態に係る膜式ガスメーターを示す正面図、図２（ａ）は図１中のＡ−Ａ線に沿う断面図、図２（ｂ）はＢ部を拡大した断面図である。
【００１６】
図１および図２に示すように、膜式ガスメーターは、上部ケース１１と下部ケース１２とから構成されている。上部ケース１１の上部にはガス流入口１３及びガス流出口１４が設けられ、前部には積算流量を表示するカウンタ１５が設けられている。
【００１７】
下部ケース１２は、前後に並設された２つの計量空間１６を有している。これら計量空間１６は、ケース本体１７と腹板１８とから構成され、その内部には各計量空間１６を第１の計量室１６ａと第２の計量室１６ｂとに仕切る計量膜１９が前後方向に往復自在に設けられている。
【００１８】
ケース本体１７と腹板１８の外周縁部には腹板ガスケット２０の外周縁部２０ａを挟持する挟持部１７ａ，１８ａが設けられている。ケース本体１７の挟持部１７ａには周縁部にほぼ等間隔に一体に袋ねじ部２１が設けられている。すなわち、袋ねじ部２１は挟持部１７ａから開口するねじ孔を有し、このねじ孔の奥部を袋部２１ａによって覆った形状である。
【００１９】
さらに、腹板１８には袋ねじ部２１の開口と対向する取付け孔２２が貫通して設けられている。また、ケース本体１７と腹板１８との外周縁部に介在された腹板ガスケット２０の外周縁部２０ａにも取付け孔２２と対向して挿通孔２３が穿設されている。そして、腹板１８側から固定ねじ２４が取付け孔２２に挿通され、さらに腹板ガスケット２０の挿通孔２３を貫通して袋ねじ部２１に締付けられている。すなわち、ケース本体１７と腹板１８との間で腹板ガスケット２０を挟持した状態で、固定ねじ２４によって締付固定されている。
【００２０】
腹板ガスケット２０は、その外周縁部２０ａがケース本体１７と腹板１８とで挟持されるシール部に形成され、前記計量空間１６を気密に確保している。さらに、固定ねじ２４が締め付けられる袋ねじ部２１はねじ孔の奥部を袋部２１ａによって覆った形状であり、雨水や異物の浸入を防止でき、シール部の劣化を防止できる。しかも、固定ねじ２４の腐食を防止でき、修理の際にもねじ切れ等が発生することはないため、修理の作業性を防止できる。
【００２１】
本発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２２】
【図１】本発明の第１の実施形態を示し、膜式ガスメーターを示す正面図。
【図２】同実施形態を示し、（ａ）は膜式ガスメーターを図１中のＡ−Ａ線に沿って切断して示す断面図、（ｂ）はＢ部を拡大した断面図。
【図３】従来の膜式ガスメーターを示し、（ａ）は図１のＡ−Ａ線に沿って切断して示す断面図、（ｂ）はＣ部を拡大した断面図。
【符号の説明】
【００２３】
１７…ケース本体、１８…腹板、１９…計量膜、２０…腹板ガスケット、２１…袋ねじ部、２２…取付け孔、２４…固定ねじ
【図１】
2010025702.tif 000003
【図２】
2010025702.tif 000004
【図３】
2010025702.tif 000005